(57)【特許請求の範囲】
【請求項１】
第１，第２の接続端子に印加された互いに逆相の信号成分を整流して内部回路の電力を賄うとともに、前記逆相の信号成分から前記内部回路で使用する内部処理クロック信号を作成し、かつ前記逆相の信号成分に多重された受信信号成分を復調する接触式データキャリアにおいて、
前記逆相の信号成分の変化時に前記内部回路のインピーダンスを高くする内部インピーダンス調整手段を設け、前記逆相の信号成分の変化時は前記内部回路のインピーダンスを高く、データ信号の復調時は前記内部回路のインピーダンスを低く切り換える
接触式データキャリア。
【請求項２】
第１，第２の接続端子に印加された互いに逆相の信号成分を整流して内部回路の電力を賄うとともに、前記逆相の信号成分から前記内部回路で使用する内部処理クロック信号を作成し、かつ前記逆相の信号成分に多重された受信信号成分を復調する接触式データキャリアにおいて、
前記内部処理クロック信号の極性によって前記内部回路のインピーダンスを高くする内部インピーダンス調整手段を設け、外部から入力されたクロック信号変化時は前記内部回路のインピーダンスを高く、データ信号の復調時は前記内部回路のインピーダンスを低く切り換える
接触式データキャリア。
【請求項３】
第１，第２の接続端子に印加された互いに逆相の信号成分を整流して内部回路の電力を賄うとともに、前記逆相の信号成分から前記内部回路で使用する内部処理クロック信号を作成し、かつ前記逆相の信号成分に多重された受信信号成分を復調する接触式データキャリアにおいて、
入力されたデータ信号の位相を検出した結果と外部から入力されたクロック信号を基にして前記内部処理クロック信号を生成するとともに、前記外部から入力されたクロック信号に基づいて前記内部処理クロック信号よりも周波数の高い伝送クロックを出力するクロック発生回路と、
前記伝送クロックを計数して前記内部処理クロック信号のレート内でのデータ信号の変化点を検出するカウンタと、
前記カウンタのカウント値により前記内部回路のインピーダンスを切り換える内部インピーダンス調整手段と
を設け、前記カウンタのカウント値によりデータ信号の変化点を予測して前記内部回路のインピーダンスを切り換える
接触式データキャリア。
【請求項４】
前記内部インピーダンス調整手段の低インピーダンスを決定する素子を可変素子とすると共に、この可変素子の出力インピーダンスをメモリから読み出した初期設定データに基づいて変化させる
請求項１〜請求項３の何れかに記載の接触式データキャリア。
【発明の詳細な説明】
【０００１】
【発明の属する技術分野】
本発明は、電力、クロック、データの３つの信号を、２線のインターフェースにて伝送することでリーダライタユニットと通信を行う接触式データキャリアに関する。
【０００２】
【従来の技術】
図８は従来の接触式データキャリアを示す。
５０１は整流回路、５０２は受信信号復調回路、５０３はクロック発生回路、５０４はロジック回路、５０５は不揮発性メモリ、５０６は送信信号変調回路、５０７，５０８は外部との接続端子で、以後の説明においてはそれぞれ接続端子ＶＡ，ＶＢと記す。
【０００３】
図示しないリーダライタユニット（以後、Ｒ／Ｗと記す）から接続端子ＶＡ，ＶＢに入力された信号を、整流回路５０１にて整流して内部電源Ｖｄｄおよび内部グランドＶｓｓを発生させる。この時、内部電源Ｖｄｄにはまだ信号成分が多重されたままであり、これを受信信号復調回路５０２にて信号成分を抽出して復調を行うことで、デジタルの受信データ５１３が得られる。
【０００４】
この受信データ５１３をロジック回路５０４に入力してプロトコル処理を行い、必要に応じて不揮発性メモリ５０５とデータのやり取りを行う。また、おなじく接続端子ＶＡ，ＶＢに入力された信号からクロック発生回路５０３にてクロック抽出を行い、内部処理クロック信号を発生させる。
【０００５】
データキャリアから前記Ｒ／Ｗへデータを送信する場合には、送信信号変調回路５０６にて所定の形に変調した後、接続端子ＶＡ，ＶＢを介して信号を前記Ｒ／Ｗへ伝送する。この時、一般にはロードスイッチ方式として接続端子ＶＡ，ＶＢ間のインピーダンスをスイッチにより送信データに応じて切り換えることにより、インピーダンスの変化を前記Ｒ／Ｗに読み取らせて伝送を行う方法がよく用いられる。
【０００６】
図９は前記Ｒ／Ｗからの信号受信時の具体的な信号波形例を示す。
図のように、接続端子ＶＡ，ＶＢへの印加信号波形は互いに逆相のクロック信号であり、それに振幅変調の受信信号成分が多重されて伝送されるため、受信データ信号が”０”論理の場合に、振幅が変調電圧分ΔＶだけ下がった波形となる。また、受信データ信号の変化点のタイミングは、接続端子ＶＡもしくは接続端子ＶＢの安定した”Ｈ”期間に発生するよう通信仕様に規定されているものとする。
【０００７】
このような印加信号から、図８のクロック発生回路５０３により内部処理クロック信号５１４が図のように抽出されて、ロジック回路５０４の動作クロックとして提供される。
【０００８】
また、整流回路５０１で整流された内部Ｖｄｄ５１１の波形としては、内部Ｖｓｓを基準としてみた場合に、図のように、受信データが”０”論理の場合にΔＶだけ下がった波形となる。また、クロックの切り換わり点において接続端子ＶＡ−ＶＢ間電圧が一旦下がるため、内部回路のインピーダンスに応じて小さなノイズが発生する。この波形を復調回路５０２にて復調すると復調後受信データ５１３が得られる。復調回路５０２は信号波形の電圧変化を検出して復調を行うエッジ検出型となっており、図のように変調電圧ΔＶ分の立ち下がりを検出して論理”０”を、また、立ち上がりを検出して論理”１”を出力する。
【０００９】
【発明が解決しようとする課題】
上記従来の方法では、接続端子ＶＡ，ＶＢへの印加信号間のスキューが大きくなった場合に、整流後の内部Ｖｄｄ５１１に発生するノイズが増大し、信号成分と誤って復調してしまう場合が発生する。この場合のメカニズムを図１０を用いて説明する。
【００１０】
図において接続端子ＶＡ，ＶＢへの印加信号間にスキューが発生した場合に、内部Ｖｄｄ５１１の波形のノイズによる降下電圧ΔＶｔｓは、スキューによる接続端子ＶＡ−ＶＢ間の電圧降下時間と、内部回路のインピーダンスによる放電時定数によって定まる。
【００１１】
復調回路５０２の復調特性は、基本的には電圧変化の傾きと変化した電圧値の大きさで大部分が決まってしまうが、ノイズによる立ち下がりの傾きと、信号成分による立ち下がりの傾きとはどちらも等しく内部回路のインピーダンスで決定される。
【００１２】
よって、スキューΔｔｓが増大することによって降下電圧ΔＶｔｓが信号変調電圧分ΔＶに近づいた場合には、このノイズにより復調回路５０２が誤復調を起こしてしまう。ΔＶｔｓの増大を抑えるために、内部回路のインピーダンスを高くした場合には復調回路の特性が悪くなるため、通常の受信信号の復調に対して悪影響が出てしまう。
【００１３】
図１０においては、復調後受信データ５１３が内部Ｖｄｄ５１１のスキューによるノイズにより、論理”１”から論理”０”へ復調してしまうため、本来の正しい受信データに対して誤復調を起こしていることを示している。これを、防ぐためには、接続端子ＶＡ，ＶＢ間の信号間スキューを抑える必要があり、前記Ｒ／Ｗの回路、または前記Ｒ／Ｗから接続端子ＶＡ，ＶＢへの伝送路の設計制約がかなり厳しくなり、設計負担、コスト負担が増大するという課題がある。
【００１４】
本発明は、接続端子ＶＡ，ＶＢへの印加信号間にスキューが発生した場合であっても、誤復調を解消できる接触式データキャリアを提供することを目的とする。
【００１５】
【課題を解決するための手段】
本発明では、前記Ｒ／Ｗからのクロック信号変化時には内部回路のインピーダンスを高く、信号電圧振幅変化時は内部回路のインピーダンスを低く調整するように構成したことを特徴とする。
【００１６】
本発明の請求項１記載の接触式データキャリアは、第１，第２の接続端子に印加された互いに逆相の信号成分を整流して内部回路の電力を賄うとともに、前記逆相の信号成分から前記内部回路で使用する内部処理クロック信号を作成し、かつ前記逆相の信号成分に多重された受信信号成分を復調する接触式データキャリアにおいて、前記逆相の信号成分の変化時に前記内部回路のインピーダンスを高くする内部インピーダンス調整手段を設け、前記逆相の信号成分の変化時は前記内部回路のインピーダンスを高く、データ信号の復調時は前記内部回路のインピーダンスを低く切り換えることを特徴とする。
【００１７】
本発明の請求項２記載の接触式データキャリアは、第１，第２の接続端子（に印加された互いに逆相の信号成分を整流して内部回路の電力を賄うとともに、前記逆相の信号成分から前記内部回路で使用する内部処理クロック信号を作成し、かつ前記逆相の信号成分に多重された受信信号成分を復調する接触式データキャリアにおいて、前記内部処理クロック信号の極性によって前記内部回路のインピーダンスを高くする内部インピーダンス調整手段を設け、外部から入力されたクロック信号変化時は前記内部回路のインピーダンスを高く、データ信号の復調時は前記内部回路のインピーダンスを低く切り換えることを特徴とする。
【００１８】
本発明の請求項３記載の接触式データキャリアは、第１，第２の接続端子に印加された互いに逆相の信号成分を整流して内部回路の電力を賄うとともに、前記逆相の信号成分から前記内部回路で使用する内部処理クロック信号を作成し、かつ前記逆相の信号成分に多重された受信信号成分を復調する接触式データキャリアにおいて、入力されたデータ信号の位相を検出した結果と外部から入力されたクロック信号を基にして前記内部処理クロック信号を生成するとともに、前記外部から入力されたクロック信号に基づいて前記内部処理クロック信号よりも周波数の高い伝送クロックを出力するクロック発生回路と、前記伝送クロックを計数して前記内部処理クロック信号のレート内でのデータ信号の変化点を検出するカウンタと、前記カウンタのカウント値により前記内部回路のインピーダンスを切り換える内部インピーダンス調整手段とを設け、前記カウンタのカウント値によりデータ信号の変化点を予測して前記内部回路のインピーダンスを切り換えることを特徴とする。
【００１９】
本発明の請求項４記載の接触式データキャリアは、請求項１〜請求項３の何れかにおいて、前記内部インピーダンス調整手段の低インピーダンスを決定する素子を可変素子とすると共に、この可変素子の出力インピーダンスをメモリから読み出した初期設定データに基づいて変化させることを特徴とする。
【００２０】
【発明の実施の形態】
以下、本発明の各実施の形態を図１〜図７に基づいて説明する。
なお、従来例を示す図８と同様の作用を成すものには同一の符号を付けて説明する。
【００２１】
（実施の形態１）
図１と図２は本発明の（実施の形態１）の接触式データキャリアを示し、内部インピーダンス調整手段１２０が追加されている点が図８に示した構成とは異なっている。なお、この内部インピーダンス調整手段１２０を含むデータキャリアはＬＳＩ化して構成されている。
【００２２】
必要なタイミングに応じて内部回路のインピーダンスを切り換える内部インピーダンス調整手段１２０は、抵抗素子１２１と制御用トランジスタ１２２，１２３とから構成されている。
【００２３】
そして、本実施の形態では、Ｖｄｄ−Ｖｓｓ間に接続された抵抗素子１２１とスイッチング素子としての制御用トランジスタ１２２，１２３により、前記Ｒ／Ｗからのクロック信号の切り換わりによる接続端子ＶＡ−ＶＢ間の電圧降下を検出して制御用トランジスタ１２２，１２３を共にオフすることで内部回路のＶｄｄ−Ｖｓｓ間等価抵抗を高くする。
【００２４】
このように構成された接触式データキャリアの内部インピーダンス調整動作を以下に説明する。
整流回路５０１により整流されたＶｄｄには、データ信号の変調成分のほかに、前記Ｒ／Ｗから入力された接続端子ＶＡ，ＶＢへのクロック信号間にスキューがあった場合に発生するノイズが重畳されている。ノイズによる降下電圧が増大した場合に、受信信号復調回路５０２ではデータ信号の変調電圧による立ち下がりと区別が困難になり、誤って論理”１”から論理”０”へ復調してしまう。
【００２５】
ノイズによる降下電圧の大きさはスキューの時間と内部回路のインピーダンス（放電時定数）で決定されるので、スキューによる影響を軽減するためには内部回路のインピーダンスを高くすればよいが、その場合には受信したデータ信号の復調特性に悪影響を及ぼすため、データ信号の復調時には内部回路のインピーダンスを低く、入力クロックの切り換わり時にはインピーダンスを高くしてやればよい。
【００２６】
図１において、接続端子ＶＡ，ＶＢへの入力クロック信号の切り換わり時の他においては、例えば、接続端子ＶＡが高電圧、接続端子ＶＢが低電圧とすると、トランジスタ１２２がオンしているためＶｄｄ−Ｖｓｓ間に抵抗素子１２１が接続され等価抵抗値が低くなっているため、復調回路５０２におけるデータ信号の復調には有利な状態となっている。ここで、接続端子ＶＡ，ＶＢへの入力クロック信号の切り換わりが発生した場合、高電圧であった接続端子ＶＡが低電圧に下がった場合、整流されたＶｄｄの電圧はＶｓｓを基準としてみた場合には内部回路の放電時定数によりゆっくりと降下していくが、接続端子ＶＢを基準としてみた場合には降下する接続端子ＶＡの電圧に追随して急激に低下する。このためＰＭＯＳ構成のトランジスタ１２２のゲート電圧（接続端子ＶＢと同位）は、Ｖｄｄとの間の電位差がなくなるためオフ状態となる。１２３も同じくオフ状態のため、抵抗素子１２１がＶｄｄ−Ｖｓｓ間から切り離され、内部回路の等価抵抗が高くなり、Ｖｄｄに発生するノイズの増大を抑えることができる。
【００２７】
この間の動作を、図２を用いて、もう少し詳しく説明する。
図２において、整流回路５０１の一例としてＰＭＯＳトランジスタ１０２ａ，１０３ａ，１０４ａ，１０５ａにより構成している。１０６ａは整流回路５０１と内部インピーダンス調整手段１２０を除いた内部回路全体のインピーダンス等価回路であり、具体的には内部等価抵抗１０７ａと内部電源間容量１０８ａで表される。
【００２８】
ここで、接続端子ＶＡが高電位、接続端子ＶＢが低電位の場合には、トランジスタ１０３ａを通して接続端子ＶＡからＶｄｄへ電流が供給され、トランジスタ１０４ａを通してＶｓｓから接続端子ＶＢへ電流が流れる。Ｖｄｄ−Ｖｓｓ間の電位差は，接続端子ＶＡ−ＶＢ間の電位差からトランジスタ１０３ａ，１０４ａのオン抵抗による電圧降下分を引いた電圧値となる。ここで、接続端子ＶＡの入力電圧が低下した場合、接続端子ＶＢの電位を基準とした場合のＶｄｄの電位は、接続端子ＶＡ−Ｖｄｄ間がトランジスタ１０３ａによりクランプされるため、接続端子ＶＡの電位に追随して低下する。Ｖｄｄ−Ｖｓｓ間の電圧は内部電源間容量１０８ａにより瞬間的には保持されるため、トランジスタ１０４ａのゲート・ソース間電圧が低下して１０４ａがオフ状態となり、その結果，接続端子ＶＡが接続端子ＶＢと同電位まで下がった場合にはＶｄｄも接続端子ＶＢと同電位近くまで低下する。この時、内部インピーダンス調整手段１２０の動作としては、最初、接続端子ＶＡが高電位でＶｄｄの電位は接続端子ＶＢの電位に対して十分高い状態であるので、トランジスタ１２２がオン状態で、トランジスタ１２３がオフ状態となっている。ここで、接続端子ＶＡが低電位に低下した場合は，Ｖｄｄ基準でみた場合には接続端子ＶＢの電位は相対的に高電位（Ｖｄｄ電位）となり、この時、トランジスタ１２２はオフ状態となり，抵抗素子１２１には電流が流れなくなるので、Ｖｄｄ−Ｖｓｓ間の等価抵抗としては、前の状態に比較して、抵抗値が高くなる。よって、入力クロックの切り換わり時で、スキューにより接続端子ＶＡ−ＶＢ間の電圧が低下した状態では、内部回路の等価抵抗値が高くなる。次に、データ信号の変調電圧による接続端子ＶＡ−ＶＢ間電圧の低下時については、信号の変調電圧は現在使用されている例では接続端子ＶＡ−ＶＢ間電圧振幅の１０数パーセント程度であり、よって、接続端子ＶＡがその程度低下したとしても接続端子ＶＢの電位に対してＶｄｄの電位はまだ十分高い状態にあり、トランジスタ１２２はオフしない。よって、この場合には、Ｖｄｄ−Ｖｓｓ間の等価抵抗を低いままに保つことができる。
【００２９】
なお、抵抗値を制御することで説明したが、内部回路の放電時定数で復調特性がきまるので、内部抵抗の代わりに内部電源間容量を調整するような方法でも実現可能である。
【００３０】
また、接続端子ＶＡ，ＶＢの電位を制御用トランジスタで直接に検知してスイッチングさせているが、内部回路上に基準電圧発生回路で基準電位をつくり、それと接続端子ＶＡ，ＶＢの電位を比較してその結果によりスイッチングさせるような構成も可能である。
【００３１】
この構成によれば、スキューによるノイズに対しては内部回路のインピーダンスが高いのでノイズ電圧を小さく抑えることができて誤復調の危険を減少させ、また、受信信号による電圧振幅変化時には内部インピーダンスを低くして復調特性を良好に保つことができ、スキューに強い良好な復調特性のＬＳＩが得られ、システムの負担を軽減することができる。
【００３２】
また、前記Ｒ／Ｗからの入力クロックの信号切り換わり時を、簡単なアナログ回路で検出して内部回路のインピーダンスを高くすることにより、入力信号間のスキューの影響による復調回路の誤動作を防ぎ、システムの設計負担を低減することができる。
【００３３】
（実施の形態２）
図３と図４は本発明の（実施の形態２）の接触式データキャリアを示し、内部インピーダンス調整手段２２０が追加されている点が図８に示した構成とは異なっている。なお、この内部インピーダンス調整手段２２０を含むデータキャリアはＬＳＩ化して構成されている。
【００３４】
内部インピーダンス調整手段２２０は、内部処理クロック信号５１４によりスイッチ素子２０１を直接にスイッチングすることにより、内部回路の等価抵抗を切り換えるように構成されている。
【００３５】
スイッチ素子２０１は内部処理クロック信号５１４が”Ｈ”の時にオンして、Ｖｄｄ−Ｖｓｓ間の等価抵抗を低くするように動作する。図９に示したように、受信したデータ信号の変調電圧による振幅電圧の変化は接続端子ＶＡの”Ｈ”電圧区間に発生するような信号仕様となっている。このため、接続端子ＶＡの入力クロック極性と同一になるような内部処理クロック信号５１４をクロック発生回路５０３で発生させることにより、データ信号の復調が発生するクロックの”Ｈ”期間は等価抵抗を低く、その他の期間は等価抵抗を高く切り換えることが可能となる。
【００３６】
しかしながら、内部処理クロック信号５１４を単に接続端子ＶＡの入力クロック特性と同一にするだけでは、入力クロックの切り換わり時の一方は等価抵抗が高くなるが、もう一方は等価抵抗が低くなってしまうので、内部処理クロック信号５１４を発生させる場合に、工夫が必要となる。発生させる内部処理クロック信号５１４の波形を図４にて説明する。
【００３７】
内部処理クロック信号５１４は図４の▲３▼に示すように、接続端子ＶＡが”Ｈ”期間で接続端子ＶＢが”Ｌ”期間のみ”Ｈ”で、その逆の場合およびスキューによる重なりの区間は”Ｌ”となるのように生成される。この信号をスイッチ素子２０１の制御信号として使用することで、データ信号の復調時は内部等価抵抗を低く、入力クロックの切り換わり時には内部等価抵抗を高くなるように制御することができる。
【００３８】
なお、抵抗値を制御することで説明したが、内部回路の放電時定数で復調特性がきまるので、内部抵抗の代わりに内部電源間容量を調整するような方法でも実現可能である。
【００３９】
この構成によれば、デジタル的な制御にて簡単にクロック信号変化時と、受信変調信号変化時とでインピーダンスを変更させることが可能で、スキューによる誤復調を防ぎ、システムの負担を軽減することができる。
【００４０】
（実施の形態３）
図５と図６は本発明の（実施の形態３）の接触式データキャリアを示し、内部インピーダンス調整手段２２０を駆動する制御信号をカウンタ３０１の出力から得ている点が（実施の形態２）とは異なる。
【００４１】
なお、この内部インピーダンス調整手段２２０とカウンタ３０１を含むデータキャリアはＬＳＩ化して構成されている。また、前記Ｒ／Ｗからの入力クロックの周波数が、同じく前記Ｒ／Ｗから受信するデータ信号の伝送速度に対して複数倍（２倍以上）の関係にある通信仕様を対象としている。
【００４２】
この実施の形態のクロック発生回路５０３は、入力されたデータ信号の位相を検出した結果と外部から入力されたクロック信号を基にして前記内部処理クロック信号５１４を生成するとともに、前記外部から入力されたクロック信号に基づいて前記内部処理クロック信号５１４よりも周波数の高い伝送クロック３０２を出力する。
【００４３】
具体的には、伝送クロック３０２は前記接続端子ＶＡ，ＶＢから入力された信号から抽出したクロックまたはそれを分周した信号で、内部処理クロック信号５１４は伝送クロック３０２を分周した信号である。
【００４４】
カウンタ３０１は、伝送クロック３０２をカウントして内部動作に用いるクロックレート内でのデータ信号の復調動作が発生するタイミングを予測するため、前記伝送クロック３０２のカウントを行い、そのカウント値から内部インピーダンス調整回路２２０を制御するための制御信号３０３を発生する。
【００４５】
内部インピーダンス調整動作を、図６の波形例を用いて説明する。
図６において、▲１▼，▲２▼は前記Ｒ／Ｗから接続端子ＶＡ，ＶＢへの入力信号波形、▲３▼はクロック発生回路５０３により生成されたロジック回路５０４を動作させるための内部処理クロック信号５１４の信号波形、▲４▼は前記Ｒ／Ｗから入力されるクロックから抽出された同一周波数の伝送クロック３０２の信号波形、▲５▼はカウンタ３０１のカウント値、▲６▼はカウンタ３０１にて生成された制御信号３０３の信号波形、▲７▼はＶｓｓを基準とした場合のＶｄｄ波形、▲８▼は復調後受信データ５１３のデータ値である。
【００４６】
ここでは、伝送クロックレート対データ信号レートが１対４の関係の例を示してある。クロック発生回路５０３においては、生成される▲３▼の内部処理クロック信号５１４に対して、受信するデータ信号のデータ変化点が一定のタイミングになるように位相調整を行っている。
【００４７】
これにより、▲５▼のカウンタ３０１のカウント値が”１”の前半において、データ信号の変化点が発生することがわかるので、これにより▲６▼の制御信号３０３を生成して、内部インピーダンス調整回路２２０のスイッチ素子２０１をオンするように制御する。
【００４８】
このようにして、受信したデータ信号を受信信号復調回路５０２にて復調するタイミングにおいて内部回路の等価抵抗を低く、その他の期間においては等価抵抗を高くするように制御することができる。
【００４９】
なお、抵抗値を制御することで説明したが、内部回路の放電時定数で復調特性がきまるので、内部抵抗の代わりに内部電源間容量を調整するような方法でも実現可能である。
【００５０】
この構成によれば、クロック周波数がデータ信号の伝送速度に対して何倍も速い場合の通信プロトコルにおいて適用可能であり、データ信号による電圧振幅変化時をある程度限定してインピーダンスを変化させることができ、スキューに強い良好な復調特性のＬＳＩが得られる。また、インピーダンスを変化させる期間をある程度限定できるため、余分な電力消費を減らせる利点もある。
【００５１】
したがって、本実施の形態によれば、データ信号の変化が発生する期間をカウンタにて予測して内部回路のインピーダンスを低くし、その他の期間を高くすることで、スキューによる誤復調を防ぎ、システムの負担を軽減することができる。
【００５２】
（実施の形態４）
図７は本発明の（実施の形態４）の接触式データキャリアを示す。
（実施の形態１）における抵抗素子１２１は固定であったが、この（実施の形態４）における内部インピーダンス調整手段４２０は（実施の形態１）における抵抗素子１２１に相当する部分が可変抵抗素子４０１に置き換えられており、この可変抵抗素子４０１の抵抗値が制御情報用レジスタ４０２の出力で可変されるように構成されている点が（実施の形態１）とは異なっている。
【００５３】
なお、この内部インピーダンス調整手段４２０と制御情報用レジスタ４０２を含むデータキャリアはＬＳＩ化して構成されている。
制御情報用レジスタ４０２は、不揮発性メモリ５０５から可変抵抗素子４０１の最適値となるデータを読み出して可変抵抗素子４０１を制御する初期値設定手段としての動作をする。
【００５４】
さらに詳しく説明する。
製品の検査段階での測定結果に基づき決定された可変値情報を不揮発性メモリ５０５の所定の番地に記憶させておき、ＬＳＩの接続端子ＶＡ，ＶＢに所定の信号が印加された場合の初期動作として、前記可変値情報をロジック回路５０４を通して制御情報用レジスタ４０２に設定する。
【００５５】
制御情報用レジスタ４０２は設定された可変値情報に基づき、抵抗値制御情報４０３を出力して可変抵抗素子４０１の抵抗値を制御する。それ以後の動作については、前記（実施の形態１）で記載した通りである。
【００５６】
したがって、製造工程でのばらつき等による製造歩留りの悪化を後工程で救済することができ、製造コストの負担が軽減される。さらには、ユーザが使用したいシステムにおいて最適な値にチューニングすることも可能で、複数システムに対するＬＳＩの許容度が高められることで、システムの開発負担を減らす効果も期待できる。
【００５７】
なお、（実施の形態４）では前記（実施の形態１）の例に適用して説明したが、（実施の形態２）および（実施の形態３）の抵抗素子１２１を可変抵抗素子に置き換えて、この抵抗値を上記と同様に不揮発性メモリ５０５から読み出した初期値に設定するように適用できることはいうまでもない。
【００５８】
上記の各実施の形態において、内部インピーダンス調整手段１２０，２２０，４２０は、前記内部回路の全体の電源間のインピーダンスを切り換えたが、少なくとも受信信号復調回路５０２の電源間のインピーダンスを切り換えるように構成することによって目的を達成できる。
【００５９】
【発明の効果】
以上のように本発明の接触式データキャリアによると、第１，第２の接続端子に印加された互いに逆相の信号成分を整流して内部回路の電力を賄うとともに、前記逆相の信号成分から前記内部回路で使用する内部処理クロック信号を作成し、かつ前記逆相の信号成分に多重された受信信号成分を復調する接触式データキャリアにおいて、内部インピーダンス調整手段を設け、外部からのクロック信号変化時には前記内部回路のインピーダンスを高く、信号電圧振幅変化時は前記内部回路のインピーダンスを低く切り換えるので、入力信号間のスキューの影響による復調回路の誤動作を防ぎ、システムの設計負担を低減することができる。
【図面の簡単な説明】
【図１】本発明の（実施の形態１）に係る接触式データキャリアのブロック図
【図２】同実施の形態の説明図
【図３】本発明の（実施の形態２）に係る接触式データキャリアのブロック図
【図４】同実施の形態の要部のタイミングチャート図
【図５】本発明の（実施の形態３）に係る接触式データキャリアのブロック図
【図６】同実施の形態の動作の状態遷移を表すタイミングチャート図
【図７】本発明の（実施の形態４）に係る接触式データキャリアのブロック図
【図８】従来の接触式データキャリアのブロック図
【図９】同従来例の動作の状態遷移を表すタイミングチャート図
【図１０】入力信号間にタイミングスキューが発生した場合の動作の状態遷移を表すタイミングチャート図
【符号の説明】
１２０，２２０，４２０    内部インピーダンス調整手段
１２１    抵抗素子
２０１    スイッチ素子
３０１    カウンタ
３０２    伝送クロック
４０１    可変抵抗素子（可変素子）
４０２    制御情報用レジスタ
５０１    整流回路
５０２    受信信号復調回路
５０３    クロック発生回路
５０４    ロジック回路
５０５    不揮発性メモリ（メモリ）
５０６    送信信号変調回路
５０７    接続端子（第１の接続端子ＶＡ）
５０８    接続端子（第２の接続端子ＶＢ）
５１４    内部処理クロック信号
【図１】
0003850297.tif 000002
【図２】
0003850297.tif 000003
【図３】
0003850297.tif 000004
【図４】
0003850297.tif 000005
【図５】
0003850297.tif 000006
【図６】
0003850297.tif 000007
【図７】
0003850297.tif 000008
【図８】
0003850297.tif 000009
【図９】
0003850297.tif 000010
【図１０】
0003850297.tif 000011